(57)【特許請求の範囲】
【請求項１】
殺虫用の液状薬剤を高所へ投じるように薬液散布装置に設けられる薬液散布用の噴射器であって、
前記薬液を導入して噴射するために貯留する圧力容器と、
該圧力容器内に薬液ポンプ装置から薬液管路を介して薬液を導入する薬液導入口部と、
前記圧力容器内に圧縮空気を導入する圧縮空気導入口部と、
前記圧力容器内に連通して前記薬液管路よりも大きな径の管路状に設けられ、先端が噴射用のノズルになっている噴射用管路部とを具備し、
前記噴射用管路部の前記圧力容器との連通口には、前記薬液の前記圧力容器内への導入を許容し、前記圧力容器内の前記薬液が一定量以下になったときに該圧力容器内から排出されることを阻止する逆止弁が設けられていることを特徴とする薬液散布用の噴射器。
【請求項２】
前記噴射用管路部が、前記圧力容器の下端部で該圧力容器内に連通されていることを特徴とする請求項１記載の薬液散布用の噴射器。
【発明の詳細な説明】
【技術分野】
【０００１】
この発明は、殺虫用の液状薬剤を高所へ投じるように薬液散布装置に設けられる薬液散布用の噴射器に関する。
【背景技術】
【０００２】
従来、例えば、次の構成の高所殺虫用保持具が提案されている。この高所殺虫用保持具よれば、支柱管の先端部にスプレ−缶を固定するための取付部を形成し、前記支柱管の先端部に形成された貫通孔に可動レバ−を回動可能に取り付けるとともに可動レバ−の後端には操作紐を取り付け、前記操作紐を滑車に引っ掛け、操作紐を引っ張ることにより可動レバ−が回動するようにするとともに、支柱管に形成された取付部の下方に固定部材を上下動可能に設けたことを特徴としている（特許文献１参照）。
【０００３】
しかしながら、棹状の長尺材による方法では高さに限界があり、胡桃の木などの高木のより高所にいるアメリカシロヒトリなどの害虫を駆除することは困難であった。ポンプ動力を用いる農薬散布装置の場合も、ノズルからの噴射力には限界があり、より高所へ農薬を噴霧することができない。
なお、強力なポンプ装置によれば、大量の薬液を、高圧状態でノズルから噴射することが可能であるため、より高所まで飛ばすことができる。但し、この場合は、殺虫用の液状薬剤などの農薬を、必要以上に大量に噴出することになると共に装置が大型化するため、現実的ではない。
【先行技術文献】
【特許文献】
【０００４】
【特許文献１】実開平０７−３７５０（第１頁）
【発明の概要】
【発明が解決しようとする課題】
【０００５】
薬液散布用の噴射器に関して解決しようとする問題点は、殺虫用の液状薬剤を胡桃の木などの高木の高所へ効果的に投じることができないことにある。
そこで本発明の目的は、殺虫用の液状薬剤を高所へ効果的に投じることができる薬液散布用の噴射器を提供することにある。
【課題を解決するための手段】
【０００６】
本発明は、上記目的を達成するために次の構成を備える。
本発明に係る薬液散布用の噴射器の一形態によれば、殺虫用の液状薬剤を高所へ投じるように薬液散布装置に設けられる薬液散布用の噴射器であって、前記薬液を導入して噴射するために貯留する圧力容器と、該圧力容器内に薬液ポンプ装置から薬液管路を介して薬液を導入する薬液導入口部と、前記圧力容器内に配されて、内外の相対的な圧力の変化に伴って容積が変化できるように設けられ、圧縮空気を導入して封止することができるエアバッグと、該エアバッグ内に圧縮空気を導入する圧縮空気導入口部と、前記圧力容器内に連通されて前記薬液管路よりも大きな径の管路状に設けられ、先端が噴射用のノズルになっている噴射用管路部とを具備する。
【０００７】
また、本発明に係る薬液散布用の噴射器の一形態によれば、前記噴射用管路部が、前記圧力容器の上端部で該圧力容器内に連通されていることを特徴とすることができる。
【０００８】
また、本発明に係る薬液散布用の噴射器の一形態によれば、殺虫用の液状薬剤を高所へ投じるように薬液散布装置に設けられる薬液散布用の噴射器であって、前記薬液を導入して噴射するために貯留する圧力容器と、該圧力容器内に薬液ポンプ装置から薬液管路を介して薬液を導入する薬液導入口部と、前記圧力容器内に圧縮空気を導入する圧縮空気導入口部と、前記圧力容器内に連通して前記薬液管路よりも大きな径の管路状に設けられ、先端が噴射用のノズルになっている噴射用管路部とを具備する。
【０００９】
また、本発明に係る薬液散布用の噴射器の一形態によれば、前記噴射用管路部が、前記圧力容器の下端部で該圧力容器内に連通されていることを特徴とすることができる。
また、本発明に係る薬液散布用の噴射器の一形態によれば、前記噴射用管路部の前記圧力容器との連通口には、前記薬液の前記圧力容器内への導入を許容し、前記圧力容器内の前記薬液が一定量以下になったときに該圧力容器内から排出されることを阻止する逆止弁が設けられていることを特徴とすることができる。
【発明の効果】
【００１０】
本発明に係る薬液散布用の噴射器によれば、殺虫用の液状薬剤を高所へ効果的に投じることができるという特別有利な効果を奏する。
【図面の簡単な説明】
【００１１】
【図１】本発明に係る薬液散布用の噴射器の形態例を示す断面図である。
【図２】図１の形態例のエアバッグの作動状態を示す模式図である。
【図３】本発明に係る薬液散布用の噴射器の他の形態例を示す断面図である。
【発明を実施するための形態】
【００１２】
以下に、本発明に係る薬液散布用の噴射器の形態例を添付図面（図１及び図２）に基づいて詳細に説明する。
この薬液散布用の噴射器は、殺虫用の液状薬剤を高所へ投じるように薬液散布装置に設けられる機器である。
【００１３】
１０は圧力容器であり、薬液を導入して噴射するために貯留するように、高圧力に耐えられる容器になっている。薬液は、薬液ポンプ装置６０によって昇圧されて圧力容器１０へ導入される。１１は圧力蓋であり、本体１２の口部にネジ蓋状に装着される形態に設けられ、圧力容器１０の一部分を構成している。１４は液圧の安全弁であり、圧力容器１０に装着され、一定以上の過大な圧力が負荷された場合に開放するように設けられている。
【００１４】
２０は薬液導入口部であり、圧力容器１０内に薬液ポンプ装置６０から薬液管路６１を介して薬液を導入するための薬液供給口になっている。本形態例の薬液導入口部２０では、後述する噴射用管路部５０と圧力容器１０内とを連通する連通部５５に薬液供給口が接続された形態になっている。
薬液ポンプ装置６０としては、例えば、農業用の農薬散布に広く使用されているポンプ装置であって、薬液管路６１の内径が８ｍｍ程度、出力圧の最大が２５〜３０気圧程度のものを用いることができる。
【００１５】
３０はエアバッグであり、圧力容器１０内に配されて、内外の相対的な圧力の変化に伴って容積が変化できるように設けられ、圧縮空気を導入して封止することができるものである。例えば、ゴム製などの伸縮性材料による空気圧用バッグや、蛇腹形状又は加圧されないときはしわしわの袋状の空気圧用バッグであってもよい。
【００１６】
４０は圧縮空気導入口部であり、エアバッグ３０内に圧縮空気を導入するために設けられている。この圧縮空気導入口部４０は、圧縮空気導入用管路４１を介してエアコンプレッサーなどの圧縮空気供給装置４５に連通している。４２は開閉弁であり、エアバッグ３０内への圧縮空気の供給を操作できるように設けられている。４３は空気圧の安全弁であり、一定以上の過大な圧力が負荷された場合に開放するように設けられている。また、１３は圧力計であり、エアバッグ３０内の圧力を計測・表示するものである。
【００１７】
５０は噴射用管路部であり、圧力容器１０内に連通されて薬液管路６１よりも大きな径の管路状に設けられ、先端が噴射用のノズル５１になっている。５２は開閉コックであり、これによって、噴射用管路部５０の管路５３を開閉し、管路５３を開くことで薬液を噴出させることができる。この管路５３の内径は例えば３０ｍｍ程度であって、ノズル５１の先端の開口を１５ｍｍ程度とすることができる。
【００１８】
以上の構成による薬液散布用の噴射器によれば、間欠的であるが、圧力容器１０内に貯留された薬液を高く遠くへ飛ばすことができる。これは、所要の容量の薬液を、比較的大きな開口のノズル５１から高圧で一気に噴出できるためである。従って、胡桃の木のような高木について、高所の消毒や殺虫を行う必要がある場合に、好適に対応できる。例えば、アメリカシロヒトリの広がりを防除する場合に、高所のアメリカシロヒトリの巣に対して。殺虫剤である薬液を好適に投じることができ、極めて有効である。
【００１９】
また、本形態例の噴射用管路部５０は、圧力容器１０の上端部でその圧力容器１０内に連通されている。これによれば、圧力容器１０内の上部に溜まる空気を、容易に吐き出させることができる。圧力容器１０内に空気が溜まることで薬液の導入量が制限されるような悪影響を防止でき、薬液散布用の噴射器の連続的な使用を適切に行うことができる。
【００２０】
また、５５は連通部であり、噴射用管路部５０の管路５３に連続して圧力容器１０内に連通される流路として設けられている。本形態例では、圧力容器１０の側壁外側に管路状に固定された形状であって、その管路の一部である圧力容器の側壁に開口された多数の孔５５ａによって、薬液や空気などの流体が適切に通過できるように構成されている。これによれば、エアバッグ３０が、噴射用管路部５０に連続する流路を塞ぐことを防止でき、薬液の噴射のための流れを適切に案内できる。なお、連通部５５は、この形態に限らず、エアバッグ３０が噴射用管路部５０に連続する流路を塞がないように機能すればよく、例えば、エアバッグ３０が密着しない溝のような形態でもよい。
【００２１】
この薬液散布用の噴射器にかかる使用方法は、先ず図２（ａ）の状態のエアバッグ３０へ、圧縮空気導入口部４０を介して圧縮空気を供給し、エアバッグ３０の内圧（空気圧）を例えば８気圧程度まで昇圧させる。これにより、図２（ｂ）のように、エアバッグ３０が圧力容器１０の内面に接するように、その容積を増大させた状態になる。
次に、図２（ｃ）のように、圧力容器１０へ、薬液導入口部２０を介して薬液を供給し、圧力容器１０の内圧（エアバッグ３０の内圧も同じ）を例えば１６気圧程度まで昇圧させる。このように薬液を入れると、エアバッグ３０が縮み、空気圧力を薬液を噴射させる力として利用できる状態になる。なお、薬液の圧力は、薬液ポンプ装置６０によって制御される。
そして、噴射用管路部５０のノズル５１を薬液の散布対象となる高所位置などの方向へ向け、開閉コック５２を開くことで薬液を噴射させる。
適宜に薬液が噴出されたところで、開閉コック５２を閉じる。これにより、一サイクルの薬液散布作業が終わる。
そして、薬液の再供給によって圧力容器１０の内圧が再び昇圧した時点で、次の分の薬液を噴射させることで、間欠的な薬液の散布作業を行うことができる。
【００２２】
次に、本発明に係る薬液散布用の噴射器の他の形態例を添付図面（図３）に基づいて詳細に説明する。
この形態例も、図１の形態例と同様に、殺虫用の液状薬剤を高所へ投じるように薬液散布装置に設けられる薬液散布用の噴射器であって、前記薬液を導入して噴射するために貯留する圧力容器１０と、圧力容器１０内に薬液ポンプ装置６０から薬液管路６１を介して薬液を導入する薬液導入口部２０と、圧力容器１０内に連通されて薬液管路６１よりも大きな径の管路状に設けられ、先端が噴射用のノズル５１になっている噴射用管路部５０とを備える。
【００２３】
そして、この形態例では、圧力容器１０内に圧縮空気を導入する圧縮空気導入口部４０が設けられている。つまり、圧縮空気を圧力容器１０内へ直接的に供給する構造になっている。これによっても、間欠的であるが、圧力容器１０内に貯留された薬液を高く遠くへ飛ばすことができ、高所の消毒や殺虫を適切に行うことができる。
【００２４】
また、本形態例では、噴射用管路部５０が、圧力容器１０の下端部でその圧力容器１０内に連通されている。これによれば、圧力容器１０の内部上側に適切に圧縮空気を導入でき、その圧縮空気の力で薬液を圧力容器１０内から噴射用管路部５０を介して噴出させることができる。なお、圧縮空気の圧力と量を適切に維持することが必要であり、圧力容器１０内の空気量が過剰に多くなることで、薬液の導入量が制限されることになる。
【００２５】
また、本形態例の噴射用管路部５０の圧力容器１０との連通口５６には、薬液の圧力容器１０内への導入を許容し、圧力容器１０内の薬液が一定量以下になったときに圧力容器１０内から排出されることを阻止する逆止弁２１が設けられている。この逆止弁２１としては、例えば図３に示すように、弁座と液に浮く球体によって構成できる。これによって、圧力容器１０に導入された適量の薬液を噴出させることができると共に、圧縮空気が排出されることを防止できる。
【００２６】
この薬液散布用の噴射器にかかる使用方法は、圧力容器１０へ、圧縮空気導入口部４０を介して圧縮空気を供給し、圧力容器１０の内圧（空気圧）を例えば８気圧程度まで昇圧させる。
次に、圧力容器１０へ、薬液導入口部２０を介して薬液を供給し、圧力容器１０の内圧を例えば１６気圧程度まで昇圧させる（図３の状態を参照）。なお、薬液の圧力は、薬液ポンプ装置６０によって制御される。
そして、噴射用管路部５０のノズル５１を薬液の散布対象となる高所位置などの方向へ向け、開閉コック５２を開くことで薬液を噴射させる。
適宜に薬液が噴出されたところで、開閉コック５２を閉じる。これにより、一サイクルの薬液散布作業が終わる。
そして、薬液の再供給によって圧力容器１０の内圧が再び昇圧した時点で、次の分の薬液を噴射させることで、間欠的な薬液の散布作業を行うことができる。
【００２７】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２８】
１０  圧力容器
２０  薬液導入口部
２１  逆止弁
３０  エアバッグ
４０  圧縮空気導入口部
５０  噴射用管路部
５１  ノズル
６０  薬液ポンプ装置
６１  薬液管路
【要約】
【課題】殺虫用の液状薬剤を高所へ効果的に投じることができる薬液散布用の噴射器を提供すること。
【解決手段】殺虫用の液状薬剤を高所へ投じるように薬液散布装置に設けられる薬液散布用の噴射器であって、薬液を導入して噴射するために貯留する圧力容器１０と、圧力容器１０内に薬液ポンプ装置６０から薬液管路６１を介して薬液を導入する薬液導入口部２０と、圧力容器１０内に配されて、内外の相対的な圧力の変化に伴って容積が変化できるように設けられ、圧縮空気を導入して封止することができるエアバッグ３０と、エアバッグ３０内に圧縮空気を導入するための圧縮空気導入口部４０と、圧力容器１０内に連通して薬液管路６１よりも大きな径の管路状に設けられ、先端が噴射用のノズル５１になっている噴射用管路部５０とを具備する。
【選択図】図１【図１】
0004785984.tif 000002
【図２】
0004785984.tif 000003
【図３】
0004785984.tif 000004